(57)【特許請求の範囲】
【請求項１】
フィルタが通る案内路と、フィルタの有無を検出するリミットスイッチとがフレームに設けられ、前記案内路の幅方向両側のフレームにフィルタを嵌合してフィルタをその装着位置の終端までスライド可能に案内するガイド溝が形成され、前記案内路の終端に形成されてフィルタの移動を規制するストッパ壁と、フィルタの浮き上がりを防止しかつフィルタをストッパ壁側に導くよう傾斜する傾斜壁とが設けられ、前記傾斜壁は前記案内路の幅方向全域に亘って形成され、前記傾斜壁は、前記案内路の幅方向で中央部が左右両側部よりも高さ方向で低く形成されたことを特徴とするフィルタ保持装置。
【請求項２】
前記傾斜壁は、前記案内路の幅方向に亘って連続または断続して形成された請求項１に記載のフィルタ保持装置。
【請求項３】
フィルタの厚み方向での沈み込みを規制する複数のリブが、フィルタを挟んで傾斜壁と対向する部位で案内路の幅方向に間隔をおいて形成された請求項１または２に記載のフィルタ保持装置。
【請求項４】
請求項１〜３のいずれかに記載のフィルタ保持装置を備え、フィルタを案内路を移動させながら清掃部によりフィルタを清掃することを特徴とするフィルタ清掃装置。
【請求項５】
請求項４に記載のフィルタ清掃装置を搭載したことを特徴とする空気調和機。
【発明の詳細な説明】
【技術分野】
【０００１】
本発明は、空気調和機等の吸込口に装着されるフィルタを保持するフィルタ保持装置に関する。
【背景技術】
【０００２】
空気調和機の室内機の吸込口に、フィルタが装着され、フィルタにより吸い込む空気から塵埃が除去される。最近では、このフィルタを移動させながら清掃するフィルタ清掃装置を搭載した空気調和機がある。フィルタ清掃装置は、フィルタを移動可能に保持するフィルタ保持装置を備えている。フィルタ保持装置は、キャビネットに設けられたフレームを有し、フレームに、着脱可能なフィルタが通る案内路が形成される。案内路を介してフィルタがキャビネットに保持される。
【０００３】
例えば、特許文献１に記載のフィルタ清掃装置では、フィルタは、歯付きベルトにより吸込口に対応する位置から移動される。移動中にブラシによりフィルタから塵埃が掻き取られ、ダストボックスに塵埃が溜められる。清掃後、フィルタは元の位置に戻される。
【０００４】
フィルタ清掃装置には、フィルタ戻し時の装着状態を検知するために、リミットスイッチが設けられている。フィルタが正常な原点位置にあると、リミットスイッチがフィルタを検知する。
【先行技術文献】
【特許文献】
【０００５】
【特許文献１】特開２００８−１０１８４６号公報
【発明の概要】
【発明が解決しようとする課題】
【０００６】
リミットスイッチは、通常、カバー内部にねじ止めされ、フィルタが通る案内路の近傍に配置される。カバーは、室内機のキャビネットに例えば、ねじで取り付けられる。これに対し、フィルタは、生産時のばらつきによって、設計寸法に比べて反りが大きい形状となって、通常のフィルタに比べて幅方向に小さくなることがある。また、公差を超えて、幅寸法が小さい形状となることがある。
【０００７】
また、フィルタの先端は左右片側からリミットスイッチの反力を受けており、フィルタの装着状態でフィルタの先端が接している面が垂直面の場合、フィルタの上下可動を抑制するものがないため、フィルタには撓みを生じることがある。そのため、設計寸法とおりに成形したフィルタであっても、フィルタの撓みにより、幅方向の長さが短くなることがある。
【０００８】
上記２例のような場合、フィルタがリミットスイッチのレバーを押せなくなる場合があり、そのため、フィルタが正常な原点位置にあっても、検出できないおそれがある。また、フィルタの装着状態で、フィルタに反りやねじれがある場合、外観品位を損なう。
【０００９】
本発明は、上記に鑑み、正常なフィルタ装着状態を維持することができ、リミットスイッチの位置検知精度を高めることができるフィルタ保持装置の提供を目的とする。
【課題を解決するための手段】
【００１０】
本発明のフィルタ保持装置は、フィルタが通る案内路と、フィルタの有無を検出するリミットスイッチとがフレームに設けられ、前記案内路の幅方向両側のフレームにフィルタを嵌合してフィルタをその装着位置の終端までスライド可能に案内するガイド溝が形成され、前記案内路の終端に形成されてフィルタの移動を規制するストッパ壁と、フィルタの浮き上がりを防止しかつフィルタをストッパ壁側に導くよう傾斜する傾斜壁とが設けられ、前記傾斜壁は前記案内路の幅方向全域に亘って形成され、前記傾斜壁は、前記案内路の幅方向で中央部が左右両側部よりも高さ方向で低く形成されたことを特徴とする。
【００１１】
上記構成において、フィルタの先端が案内路の終端のフィルタ装着位置付近に近付くと、フィルタの先端が傾斜壁に当たり、フィルタをストッパ壁側に導く。フィルタの先端がストッパ壁に到達すれば、フィルタ装着位置となる。フィルタの使用中に振動やリミットスイッチの動作中にフィルタは案内路の幅方向で撓もうとしても、傾斜壁が案内路の幅方向全域に亘って形成されているので、フィルタが浮き上がるのを防止することができる。
【００１２】
傾斜壁が案内路の幅方向全域に亘って形成する態様としては、傾斜壁を案内路の幅方向全域に亘って連続して形成する態様の他、断続して形成してもよい。断続して形成する場合、フィルタが幅方向の途中で浮き上がらない程度の間隔で、傾斜壁を形成することになる。
【００１４】
また、上記構成においては、フィルタはフレームのガイド溝に嵌合してフィルタの装着位置の終端まで案内される。ガイド溝はフィルタの幅方向両端を拘束し、フィルタの浮き上がりを防止することができる。したがって、案内路の幅方向で両側部は、ガイド溝の高さに対応する傾斜壁の高さに設定すればよい。しかし、フィルタの中央部で、フィルタの浮き上がりをより防止するには、中央部の傾斜壁を左右両側部よりも低く設定することで、フィルタの浮き上がりを確実に防止することができる。
【００１５】
なお、上記構成に加えて、フィルタの装着状態で、フィルタの厚み方向での沈み込みを規制する複数のリブが、フィルタを挟んで傾斜壁と対向する部位で案内路の幅方向に間隔をおいて形成された構成を採用してもよい。
【００１６】
上記構成においては、傾斜壁でフィルタの浮き上がりを押え、複数の沈み込み規制リブによりフィルタの沈み込みを防止することができる。
【００１７】
本発明のフィルタ清掃装置は、上記のフィルタ保持装置を備え、フィルタを案内路を移動させながら清掃部によりフィルタを清掃する。このような構成により、フィルタを自動清掃する際に、フィルタの位置をより正確に検知できる。
【００１８】
本発明の空気調和機は、上記のフィルタ清掃装置を搭載する。このような構成により、高所に設置されることが多いセパレート型空気調和機において、フィルタ清掃が自動的に行われるので、ユーザの手間を省くことができる。
【発明の効果】
【００１９】
本発明によると、案内路の終端のストッパ壁と、フィルタの浮き上がりを防止しかつフィルタをストッパ壁側に導くよう傾斜した傾斜壁とを備え、傾斜壁が案内路の幅方向全域に亘って形成されているので、フィルタが案内路の幅方向で撓もうとしても、傾斜壁によりフィルタの浮き上がりを防止することができ、正常なフィルタ装着状態を維持することができると共に、リミットスイッチの位置検知精度を高めることができる。
【図面の簡単な説明】
【００２０】
【図１】本発明の空気調和機の室内機の斜視図である。
【図２】室内機の断面図である。
【図３】フィルタ清掃装置のユニットフレームの斜視図である。
【図４】ダストボックスを取り外したユニットフレームの斜視図である。
【図５】（ａ）フィルタ表面側の斜視図、（ｂ）フィルタ裏面側の斜視図である。
【図６】図５のＡ矢視の拡大図であり、同図（ａ）が表面側の拡大図、（ｂ）は同図（ａ）の側面図である。
【図７】フィルタの清掃時におけるユニットフレームを示し、（ａ）清掃前のフィルタが装着位置にあるときの断面図、（ｂ）フィルタが移動中の断面図、（ｃ）フィルタが終点に達したときの断面図である。
【図８】ユニットフレームにおける案内路の終端側を示す平面図である。
【図９】フィルタ案内路の終端側における規制部を示す断面図である。
【図１０】案内路の終端側規制部を示し、（ａ）は案内路の幅方向中央部の断面図、（ｂ）は案内路の幅方向両端部の断面図である。
【図１１】規制部の傾斜壁を示し、（ａ）は傾斜壁が断続的かつ階段状に形成された第１の実施形態を示す正面図、（ｂ）は傾斜壁が連続的かつ階段状に形成された第２の実施形態を示す正面図、（ｃ）は傾斜壁が連続的かつ滑らかな弧状に形成された第３の実施形態を示す正面図である。
【発明を実施するための形態】
【００２１】
本実施形態の空気調和機の室内機を図１、２に示す。室内機は、熱交換器１および室内ファン２を備え、これらがキャビネット３に内装されている。キャビネット３の前面から底面にかけて湾曲面とされる。キャビネット３の上面に吸込口４が形成され、湾曲面に吹出口５が形成される。
【００２２】
キャビネット３の内部には、吸込口４から吹出口５に至る空気通路６が形成され、この空気通路６に熱交換器１と室内ファン２とが配設される。吸込口４と熱交換器１との間に、フィルタ７（図５、図７参照）が配され、吸込口４から吸込んだ室内の空気から塵埃を除去する。フィルタ７は左右２枚とされる。室内機には、このフィルタ７を移動させながら清掃するフィルタ清掃装置が設けられる。
【００２３】
キャビネット３の湾曲面には、吹出口５を開閉するパネル１０（上下風向変更羽根、上下ルーバと呼ばれることもある）が設けられる。パネル１０は、キャビネット３に開閉可能に支持され、パネル１０を開閉するための開閉部が設けられる。空気調和機の運転時にパネル１０が開く。冷房運転時には、パネル１０は、冷風を斜め上方向に導き、冷風が天井に沿って吹き出す。暖房運転時には、パネル１０は、前方に向かって吹き出される温風を押さえ込み、温風を床面方向に導く。
【００２４】
また、キャビネット３内において、熱交換器１の下方にドレンパン１１が設けられ、熱交換器１を伝って流れ落ちてくる露を受ける。ドレンパン１１は、吹出口５を形成するドレンパンユニット１２に一体的に形成される。ドレンパンユニット１２には、イオンを発生するイオン発生ユニット１３が装着される。
【００２５】
空気調和機では、室内機に対して図示しない室外機が室外に設置されている。室外機には、圧縮機、熱交換器、四方弁、膨張弁、室外ファン等が内装され、これらと室内側の熱交換器１とによって冷凍サイクルが形成される。そして、冷凍サイクルを制御する制御装置が室内機に設けられる。マイコンからなる制御装置は、ユーザの指示および室温や外気温を検出する温度センサ等の各種のセンサの検出信号に基づいて、冷凍サイクルを制御し、冷暖房運転を行う。このとき、制御装置は、冷暖房運転に応じて開閉部を制御し、パネル１０を開閉する。また、制御装置は、定期的（例えば、所定時間毎（一例として、２４時間毎）や所定の運転積算時間毎（一例として、運転積算時間が１００時間に達する毎）にあるいはユーザからの指示（例えば、リモコンに設けられたフィルタ清掃開始ボタンを押圧する）により、フィルタ清掃装置を制御して、フィルタ７を移動させながら清掃する。
【００２６】
フィルタ清掃装置は、フィルタ７を移動させる移動部１５と、フィルタ７を清掃する清掃部１６と、フィルタ７から除去された塵埃を収容するダストボックス１７とを備え、これらが、図３に示すように、ユニットフレーム１８に一体的に設けられる。フィルタ７は、ユニットフレーム１８に保持され、フィルタ７が移動するときには、フィルタ７はユニットフレーム１８によりガイドされる。このユニットフレーム１８により、着脱可能なフィルタを移動可能に保持するフィルタ保持装置が構成される。すなわち、フィルタ清掃装置は、フィルタ保持装置を有するものである。
【００２７】
ユニットフレーム１８は、図２に示すように、熱交換器１の前面から上面までを覆うように、キャビネット３に取り付けられ、キャビネット３に対して着脱可能とされる。ユニットフレーム１８の前方に、開閉可能な前面パネル１９（図１、図２参照）が設けられる。前面パネル１９は、キャビネット３に着脱可能に取り付けられる。前面パネル１９は、キャビネット３の上部の軸周りに開閉し、前面パネル１９が開いたとき、ダストボックス１７が現れる。ダストボックス１７は、図３及び図４に示すように、ユニットフレーム１８に着脱可能に装着されている。ダストボックス１７を取り外したとき、フィルタ７の着脱が可能となる。
【００２８】
フィルタ７は、図５に示すように、メッシュ部２０と、メッシュ部２０の周囲を取り囲む枠体２１とから構成される。そして、メッシュ部２０と枠体２１とがポリプロピレン樹脂等の合成樹脂により一体的に成形され、枠体２１は前後対称かつ左右対称な形状とされる。また、メッシュ部２０の形状も前後対称かつ左右対称とされる。したがって、前後左右対称なフィルタ７は、前後のいずれの方向からでもキャビネット３に装着可能とされる。
【００２９】
枠体２１は、左右に位置する縦枠２１ａと前後に位置する横枠２１ｂとから四角形の枠状に形成される。メッシュ部２０の裏面に、補強のために縦リブ２２ａおよび横リブ２２ｂがそれぞれ等間隔に形成されている。メッシュ部２０の表面は、後述するストッパリブ２６を除いて面一とされる。
【００３０】
フィルタ７の縦枠２１ａは、ユニットフレーム１８のガイド溝３６にスライド可能に嵌り込む。縦枠２１ａには、移動部１５の回転駆動されるピニオンに噛み合うラック２４が形成される。ラック２４は、フィルタ７の裏面側に凸、表面側では凹となるように形成される。また、ラック２４は、縦枠２１ａの前端から後端にかけて形成され、前後いずれの方向からユニットフレーム１８に装着されても、ピニオンに噛み合うようになっている。ラック２４の凸部分の高さは、縦リブ２２ａよりも高く、横リブ２２ｂの高さ以上とされる。縦枠２１ａおよび縦リブ２２ａは、横枠２１ｂおよび横リブ２２ｂよりも薄肉とされる。これにより、フィルタ７は、横方向の剛性を維持しながら、縦方向には可撓性を有し、フィルタ７を縦方向に屈曲させることができる。
【００３１】
図６に示すように、フィルタ７の４隅で、フィルタの表面側にはユニットフレーム１８のガイド溝３６内でフィルタ７の浮き上がり方向の移動を規制するストッパリブ２６が縦枠２１ａの表面側に形成される。ストッパリブ２６は、ラック２４の表面側の複数の凹の間に形成される。縦枠２１ａの厚みと、縦枠２１ａの表面側に形成されたストッパリブの突出高さと、裏面側に形成されたラック２４の凸の高さとにより、フィルタ７の上下幅（厚み）が規定される。そのため、ガイド溝３６の上下幅とフィルタ７の厚みとをほぼ同一に設定すれば、ガイド溝３６に嵌まり込むフィルタ７の上下位置を正確に規定することができる。したがって、フィルタ７の縦枠２１ａをリミットスイッチ６５のレバー６６に正確に当てることができる。
【００３２】
また、四角形のフィルタ７の４隅が斜めに切り欠かれ、傾斜面２５が形成される。この傾斜面２５は、縦方向に長く切り欠かれ、横方向には短く切り欠かれることによって形成される。なお、各隅の傾斜面２５は同じ形状である。この傾斜面２５により、フィルタ７がリミットスイッチ６５のレバー６６に引っ掛かることなく、リミットスイッチ６５とスムーズに接触することができる。
【００３３】
ユニットフレーム１８は、図４に示すように、フィルタ７を保持するベース板３０と、左右の側枠３１とから形成される。ベース板３０は、上面から前面にかけて湾曲し、平坦な下面を有する。ベース板３０の左右両端に側枠３１が一体的に立設される。ベース板３０の湾曲部分は開口しており、ベース板３０の左右方向の中央に、センター枠３２が設けられ、開口が２分割される。この開口に、縦横の桟３３によって格子部３４が形成される。格子部３４は、熱交換器１に対向する位置にあり、フィルタ７を通過した空気が熱交換器１に向かって格子部３４を通り抜ける。
【００３４】
ユニットフレーム１８に、移動するフィルタ７をガイドする案内路３５が形成される。図７に示すように、清掃時に、フィルタ７は、吸込口４と熱交換器１との間に装着された装着位置から下に向かって移動し、Ｕターンして、格子部３４に沿って移動し、吸込口４と熱交換器１との間に達する。ユニットフレーム１８の左右の側枠３１およびセンター枠３２に、側面から見てσ形状のガイド溝３６が形成され、ガイド溝３６に、フィルタ７の縦枠２１ａがスライド可能に嵌り込む。このガイド溝３６およびベース板３０の格子部３４によって、フィルタ７がＵターンするように移動するための案内路３５が、ユニットフレーム１８の前面から上面にかけての空間に形成される。
【００３５】
移動部１５は、図２、図３及び図７に示すように、フィルタ７に形成されたラック２４に噛み合うピニオン４０と、ピニオン４０を回転駆動するステッピングモータ４１と、フィルタ７の移動を補助するガイドローラ４２とを有する。ユニットフレーム１８の側枠３１の外面側にステッピングモータ４１が取り付けられ、側枠３１の内面側にピニオン４０が回転可能に支持される。センター枠３２にも、ピニオン４０が回転可能に支持される。ステッピングモータ４１のモータ軸に取り付けられたギアを介してピニオン４０に回転駆動力が伝達される。左右のピニオン４０は、回転軸４３によって連結される。回転軸４３に、ゴム製のガイドローラ４２が取り付けられる。ピニオン４０の回転に連動して、ガイドローラ４２も回転する。なお、移動部１５は、左右のフィルタ７に対応して、左右一対に設けられる。２つのステッピングモータ４１は同期して駆動される。
【００３６】
清掃部１６は、図２及び図７に示すように、フィルタ７に接触して、塵埃を掻き取る回転ブラシ５０と、回転ブラシ５０を回転駆動する清掃モータ５１とを有する。左右の側枠３１の一側に設けた清掃モータ５１の回転駆動力はギアを介して一側の回転ブラシ５０の支軸５２に伝達され、一側の回転ブラシ５０が回転し、この回転駆動力が、センター枠３２に設けた中間ギアを介して他側の支軸５２に伝達され、他側の回転ブラシ５０が一側の回転ブラシと連動して回転する。
【００３７】
フィルタ７の装着を検出するために、リミットスイッチ６５がユニットフレーム１８に設けられている。リミットスイッチ６５は、図２，３及び図８に示すように、案内路３５の後端の近傍に配置され、左右のフィルタ７に対してそれぞれ設けられる。リミットスイッチ６５は、フィルタ７に接触するレバー６６を備え、ユニットフレーム１８に直付けされる。フィルタ７がキャビネット３に装着されるとき、フィルタ７は案内路３５を移動し、フィルタ７が装着位置に近づくと、リミットスイッチ６５のレバー６６が、フィルタ７の進路を塞ぐように待機している。移動してきたフィルタ７の隅の傾斜面２５の後端がレバー６６に接触する。フィルタ７の隅を傾斜面２５にすることにより、レバー６６と傾斜面２５との成す角度が小さくなり、フィルタ７がレバー６６に引っ掛かることなく、スムーズに接触する。さらにフィルタ７が移動すると、レバー６６が傾斜面２５によってスムーズに押し込まれる。フィルタ７が装着位置に到達すると、レバー６６が完全に押し込まれる。レバー６６の動きに応じて、リミットスイッチのケースに内蔵されたマイクロスイッチがオンし、制御装置は、リミットスイッチ６５からのオン信号によりフィルタ７が装着されたことを検出する。
【００３８】
ユニットフレーム１８における案内路３５の終端には、案内路３５の幅方向全域に亘ってフィルタ７の先端の移動を規制するストッパ壁６８と、フィルタ７の浮き上がりを防止しかつフィルタ７をストッパ壁６８側に導くよう傾斜した傾斜壁６９ａ、６９ｂとが設けられている。
【００３９】
ストッパ壁６８は、ベース板３０の後端から垂直に立ち上がる。ストッパ壁６８は、後述する連結部７１を除いて案内路３５の幅方向全域に亘って形成される。傾斜壁６９ａ、６９ｂは案内路３５の前記連結部７１を除いて幅方向全域に亘って形成されている。傾斜壁６９ａ，６９ｂは、案内路３５の幅方向全域に亘って連続して形成する態様の他、断続して形成してもよい。断続して形成する場合、フィルタ７が幅方向の途中で浮き上がらない程度の間隔で、傾斜壁６９ａ、６９ｂを形成することになる。
【００４０】
傾斜壁６９ａ，６９ｂは、図９及び図１０に示すように、その先端側（吸込口側）が傾斜壁６９ａ，６９ｂの基部よりも案内路３５中の前方寄りに位置するように傾斜している。図９及び図１０に示す傾斜壁６９ａ，６９ｂの傾斜角度は、ベース板３０に対して概ね６０度程度に傾斜しているが、その傾斜角度は、フィルタ７の浮き上がりを防止しかつフィルタ７をストッパ壁６８側に導く角度であれば、特に限定されない。また、案内路３５の幅方向で中央部の傾斜壁６９ａの傾斜角を、左右両側部の傾斜壁６９ｂの傾斜角よりも小さくするなど、中央部と左右両側部の傾斜壁６９ａ，６９ｂの傾斜角をそれぞれ異なる角度に設定し、フィルタ７の浮き上がりをより防止できる態様を採用してもよい。
【００４１】
図１１（ａ）は傾斜壁６９ａ、６９ｂが断続的かつ階段状に形成された第１の実施形態を示す。この例では、フィルタ７が幅方向の途中で浮き上がらない程度に、中央の傾斜壁６９ａと左右両側の傾斜壁６９ｂとの間に連結部７１を配置している。連結部７１は、図４に示すように、ベース板３０の開口３４に形成された縦方向の桟３３の終端部の延長上でフック型に形成されている。
【００４２】
そして、傾斜壁６９ａ、６９ｂは、案内路３５の幅方向で中央部の傾斜壁６９ａが左右両側部の傾斜壁６９ｂよりも高さ方向で低く形成されている。言い換えれば、図１０に示すように、ベース板３０から案内路３５の中央部の傾斜壁６９ａの基部までのストッパ壁６８の高さｈ２（同図（ａ）参照）が、ベース板３０から案内路３５の左右両側の傾斜壁６９ｂの基部までのストッパ壁６８の高さｈ１（同図（ｂ）参照）よりも低く形成されている。
【００４３】
これは、左右両側部の傾斜壁６９ｂの基部では、その外側に位置するガイド溝３６の溝幅（側枠３１又はセンター枠３２とベース板３０とにより形成されるガイド溝の溝幅）により、フィルタ７の上下位置がほぼ規制される。そのため、左右両側部の傾斜壁６９ｂの基部の高さはガイド溝を構成する側枠３１のガイド枠と同等に形成しておけばよい。しかし、案内路３５の中央部においては、リミットスイッチ６５のレバー６６との接触時における反力により可撓性のフィルタ７に左右内方向への力が加わり、フィルタ７の中央部を浮き上がらせるよう撓ませる力が働く。そこで、フィルタ７の中央部の浮き上がりを押えるため、中央部の傾斜壁６９ａの基部高さｈ２を両側部の傾斜壁６９ｂの基部高さｈ１に比べて低く設定している。
【００４４】
また、ベース板３０の後端には、フィルタ７の装着状態で、フィルタ７の厚み方向での沈み込みを規制する複数のリブ７０が、フィルタを挟んで傾斜壁６９ａ、６９ｂと対向する部位で案内路３５の幅方向に間隔をおいて形成されている。リブ７０は、ベース板３０の開口３４に形成される縦方向の桟３３の延長線上でベース板３０の後端に形成すると共に、縦桟３３の延長線上以外の位置においてもフィルタ７の沈み込みを回避できる位置に形成される。具体的には、左右両側部の傾斜壁６９ｂの中央付近に夫々形成される。
【００４５】
図１１に、側枠３１及びセンター枠３２のガイド溝３６と、傾斜壁６９ａ、６９ｂ及びリブ７０や縦桟３３の高さ位置関係を示す。図中で、フィルタの上側は中央の傾斜壁６９ａの基部高さに対応し、フィルタの下側は縦桟３３およびリブ７０の高さに対応している。フィルタの縦枠２１ａに形成されるストッパリブ２６は側枠３１およびセンター枠３２の上枠に接触する高さに設定され、また、ラック２４の凸高さはベース板３０に接触する高さに設定される。
【００４６】
ここで、中央部の傾斜壁６９ａの基部高さｈ２はフィルタ７の浮き上がりを確実に押えることができる高さであればよい。例えば、フィルタ７のラック２４およびストッパリブ２６を含む全体の厚みを３ｍｍ、フィルタ７の横枠２１ｂの厚みを１．５ｍｍ〜２．０ｍｍとし、ベース板３０のリブ７０の高さを１．０ｍｍ〜１．５ｍｍとしたとき、左右両側部の傾斜壁６９ｂの基部高さｈ１が５ｍｍ、中央部の傾斜壁６０ａの基部高さを３ｍｍに設定することができる。これにより、フィルタ７が傾斜壁６９ａ、６９ｂとリブ７０に挟まれて撓みにくくする構成を採用している。
【００４７】
なお、傾斜壁６９ａ、６９ｂの基部高さについては、マイナス側の公差のみを設定し、ベース板３０のリブ７０や縦桟３３の高さ公差はプラス側のみに設定し、これらの公差制限により、フィルタ７が傾斜壁６９ａ、６９ｂとリブ７０に挟まれて撓みにくくする構成を採用してもよい。
【００４８】
上記構成のフィルタ保持装置において、フィルタ７の先端が案内路３５の終端のフィルタ装着位置付近に近付くと、フィルタ７の先端が傾斜壁６９ａ、６９ｂに当たり、フィルタ７をストッパ壁６８側に導く。フィルタ７の先端がストッパ壁６８に到達すれば、フィルタ７は傾斜壁６９ａ、６９ｂと、ベース板側のリブ７０や縦桟３３に挟まれてフィルタ装着位置になる。フィルタ７の使用中に振動やリミットスイッチ６５の動作中にフィルタ７が案内路３５の幅方向に撓もうとしても、傾斜壁６９ａ、６９ｂが案内路３５の幅方向全域に亘って形成されているので、フィルタ７が浮き上がるのを防止する。フィルタ７の浮き上がりを防止しているので外観上からも好ましくなる。図５（ａ）において、２点鎖線によりフィルタ７の浮き上がり状態を示す。
【００４９】
特に、フィルタ７の中央部では、傾斜壁６９ａの基部の高さを左右両側部の傾斜壁の基部高さよりも低く設定しているので、フィルタ７の浮き上がりをより確実に防止することができる。
【００５０】
ここで、フィルタ清掃装置の動作を簡単に説明する。フィルタ７を清掃するとき、制御装置は、移動部１５および清掃部１６を作動させる。ステッピングモータ４１が駆動され、ピニオン４０とガイドローラ４２が回転する。図７（ａ）に示すように、装着位置にあるフィルタ７は、案内路３５を下方向（ダストボックス１７の方）に向かって移動を開始する。清掃モータ５１が駆動され、回転ブラシ５０が回転する。図７（ｂ）に示すように、フィルタ７がＵターンするとき、回転ブラシ５０がフィルタ７に当たり、塵埃が掻き取られ、集塵箱４５に塵埃が溜まる。図７（ｃ）に示すように、フィルタ７が終点に達したとき、フィルタ７の後端は回転ブラシ５０に到達している。フィルタ７の前端はリミットスイッチ６５まで到達していない。このとき、ステッピングモータ４１の回転が停止される。
【００５１】
ここで、ステッピングモータ４１が停止するタイミングは、フィルタ７が装着位置から移動したとき、リミットスイッチ６５はオフする。制御装置は、リミットスイッチ６５のオフ信号に基づいて、ステッピングモータ４１のパルス数をカウントする。予め設定されたカウント数になると、制御装置はステッピングモータ４１を停止する。このカウント数は、フィルタ７の後端が装着位置から終点である回転ブラシ５０に到達するまでの距離に対応して設定される。
【００５２】
この後、ステッピングモータ４１は逆回転され、フィルタ７は案内路３５を戻る。フィルタ７が戻る途中においても、回転ブラシ５０が駆動され、フィルタ７の清掃が行われる。フィルタ７の前端が回転ブラシ５０を通過し、フィルタ７が装着位置に到達すると、リミットスイッチ６５がフィルタ７を検知し、制御装置は、リミットスイッチ６５のオン信号に基づいてステッピングモータ４１および清掃モータ５１を停止する。
【００５３】
なお、リミットスイッチ６５により、フィルタ７が終点に達したことを検出してもよい。移動するフィルタ７の前端がリミットスイッチ６５に達した時点が終点となる。このとき、フィルタ７の後端は、少なくとも回転ブラシ５０に到達していればよく、回転ブラシ５０を通りすぎていてもよい。
【００５４】
フィルタ清掃時に、装着位置にあるフィルタ７が移動すると、フィルタ７はリミットスイッチ６５から離れ、リミットスイッチ６５はオフ信号を出力する。フィルタ７が終点に到達すると、フィルタ７の前端がリミットスイッチ６５に接触して、リミットスイッチがオン信号を出力する。制御装置は、リミットスイッチ６５からオフ信号の後にオン信号が入力されたことを検知して、ステッピングモータ４１を停止する。そして、制御装置は、ステッピングモータを逆回転させる。フィルタ７が案内路３５を逆方向に移動すると、リミットスイッチ６５はオフ信号を出力する。フィルタ７が装着位置に到達すると、リミットスイッチ６５がオン信号を出力し、制御装置は、ステッピングモータ４１および清掃モータ５１を停止する。
【００５５】
図８はユニットフレームにおける案内路の終端側を示す。図に示すように、案内路３５を通るフィルタ７をリミットスイッチ６５に向けて幅寄せするために幅寄せ用の凸部８０を設けてもよい。凸部８０は、センター枠３２のガイド溝３６に設けられ、ガイド溝３６の側壁を対向する側枠３１に向かって膨らませるように形成される。凸部８０は、案内路３５の後端近くに位置する。
【００５６】
この凸部８０は、フィルタ７の移動方向に沿って形成され、リミットスイッチ６５が設けられている側枠３１に向かって徐々に突出する傾斜部８１と、案内路３５内に突出した平坦部８２とを有する。移動してきたフィルタ７は、この凸部８０に接触しながら移動し、リミットスイッチ６５に向かって幅寄せされる。
【００５７】
また、図１１（ｂ）（ｃ）に示すように規制部の傾斜壁６９ａ、６９ｂを形成してもよい。同図（ａ）は傾斜壁が断続的かつ階段状に形成された第１の実施形態であるが、同図（ｂ）に示す第２の実施形態のように、傾斜壁６９ａ、６９ｂを連続的かつ階段状に形成し、途中を連結部７１で接続する態様であってもよい。
【００５８】
さらに、図１１（ｃ）の第３の実施形態に示すように、傾斜壁６９ａ、６９ｂが連結部７１を介して連続的かつ滑らかな弧状に形成された態様であってもよい。
【００５９】
また、第４の実施形態として、上記のフィルタ、フィルタ保持装置およびフィルタ保持装置を有するフィルタ清掃装置は、空気調和機以外の空気清浄機、加湿機、除湿機に用いてもよい。
【００６０】
なお、フィルタを保持するユニットフレームは、キャビネットに取り付けられているが、キャビネット自体がフレームとして、フィルタを移動可能に保持するようにしてもよい（第５の実施形態）。
【００６１】
また、リミットスイッチは、フィルタの側面に対向するように設けられているが、フィルタの表面あるいは裏面に対向するように設けてもよい。ただし、リミットスイッチの左右方向の設置位置は変わらない（第６の実施形態）。
【００６２】
なお、本発明は、上記実施形態に限定されるものではなく、本発明の範囲内で上記実施形態に多くの修正および変更を加え得ることは勿論である。
【符号の説明】
【００６３】
１    熱交換器
２    室内ファン
３    キャビネット
４    吸込口
５    吹出口
６    空気通路
７    フィルタ
１０    パネル
１１    ドレンパン
１２    ドレンパンユニット
１３    イオン発生ユニット
１５    移動部
１６    清掃部
１７    ダストボックス
１８    ユニットフレーム
１９    前面パネル
２０    メッシュ部
２１    枠体
２１ａ    縦枠
２１ｂ    横枠
２２ａ    縦リブ
２２ｂ    横リブ
２４      ラック
２６    ストッパリブ
２５    傾斜面
３０    ベース板
３１    側枠
３２    センター枠
３３    縦横の桟
３４    格子部
３５    案内路
３６    ガイド溝
４０    ピニオン
４１    ステッピングモータ
４２    ガイドローラ
４３    回転軸
４５    集塵箱
５０    回転ブラシ
５１    清掃モータ
５２    支軸
６５    リミットスイッチ
６６    レバー
６８    ストッパ壁
６９ａ    中央の傾斜壁
６９ｂ    左右両側の傾斜壁
７０    リブ
７１    連結部
８０    凸部
８１    傾斜部
８２    平坦部
【要約】
【課題】正常なフィルタ装着状態を維持することができ、リミットスイッチの位置検知精度を高めることができるフィルタ保持装置を提供する。
【解決手段】フィルタが通る案内路と、フィルタの有無を検出するリミットスイッチとがフレームに設けられ、案内路の終端に形成されてフィルタの移動を規制するストッパ壁と、フィルタの浮き上がりを防止しかつフィルタをストッパ壁側に導くよう傾斜する傾斜壁とが設けられ、傾斜壁は案内路の幅方向全域に亘って形成され、フィルタが振動やリミットスイッチの動作で案内路の幅方向に撓もうとしても、フィルタの浮き上がりを防止する。
【選択図】図１０【図１】
0005643404.tif 000002
【図２】
0005643404.tif 000003
【図３】
0005643404.tif 000004
【図４】
0005643404.tif 000005
【図５】
0005643404.tif 000006
【図６】
0005643404.tif 000007
【図７】
0005643404.tif 000008
【図８】
0005643404.tif 000009
【図９】
0005643404.tif 000010
【図１０】
0005643404.tif 000011
【図１１】
0005643404.tif 000012